【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
入射した放射線のエネルギーに応じた波高のアナログパルスを出力する放射線検出器、前記アナログパルスを入力し測定対象エネルギー範囲に対応した波高のパルスを弁別してデジタルパルスを出力する第１の波高弁別器、
該第１の波高弁別器の出力パルスを計数する第１のカウンタ、
前記アナログパルスを入力し測定対象エネルギー範囲の一部である所定のエネルギー範囲に対応した波高のパルスを弁別してデジタルパルスを出力する第２の波高弁別器、
該第２の波高弁別器の出力パルスを計数する第２のカウンタ、
前記第１のカウンタで計数した今回演算周期の計数値、前回演算周期の計数率及び標準偏差から定まる時定数を基に、今回演算周期の計数率を演算する第１の計数率演算機能部と、前記第２のカウンタで計数した今回演算周期の計数値、前記第１の計数率演算と同じ時定数を基に、前記第２のカウンタで計数した計数値の今回演算周期の計数率を演算する第２の計数率演算機能部と、前記第１の計数率演算機能部で求めた今回演算周期の計数率を前記第２の計数率演算機能部で求めた今回演算周期の計数率により補正する補正演算機能部と、を含む演算部、
前記演算部からの出力を表示するとともに当該演算部の設定を行う表示・操作部、
を備えたことを特徴とする放射線モニタ。
【請求項２】
前記放射線検出器は、入射面に放射線量のエネルギー特性を平坦化する物理的フィルタを設けた半導体検出器であり、該物理的フィルタは、前記放射線のエネルギーが低エネルギーになるにしたがって透過率が小さくなるエネルギー特性を有し、その作用により低エネルギーになるにしたがって検出効率が高くなる半導体検出器固有のエネルギー特性を補正するようにしたことを特徴とする請求項１に記載の放射線モニタ。
【請求項３】
前記時定数は、前記標準偏差が所定の値で一定となるように定められることを特徴とする請求項１または請求項２に記載の放射線モニタ。
【請求項４】
入射した放射線のエネルギーに応じた波高のアナログパルスを出力し、入射面に放射線量のエネルギー特性を平坦化するフィルタを設けた放射線検出器、
前記アナログパルスを入力し測定対象エネルギー範囲に対応した波高のパルスを弁別してデジタルパルスを出力する第１の波高弁別器、
該第１の波高弁別器の出力パルスを加算入力として入力し、その出力を減算入力としてフィードバックする構成とし、前記加算入力と前記減算入力から得た加減積算値を出力するアップダウンカウンタ、
該アップダウンカウンタの加減積算値を入力とするとともに、前記加算入力に対して時定数の一時遅れで応答する繰り返し周波数のパルスに変換して当該アップダウンカウンタの減算入力として出力する負帰還パルス発生回路、
前記アップダウンカウンタの加算入力及び減算入力の計数を標準偏差に基づき重み付けして計数するように制御する積算制御回路、
前記アナログパルスを入力し測定対象エネルギー範囲の一部である所定のエネルギー範囲に対応した波高のパルスを弁別してデジタルパルスを出力する第２の波高弁別器、
該第２の波高弁別器の出力パルスを計数する第２のカウンタ、
前記積算制御回路で１パルスの計数の重み付けを制御されたアップダウンカウンタの今回演算周期の加減積算値を基に、標準偏差が一定になるように今回演算周期の計数率を演算する第３の計数率演算機能部と、前記第２のカウンタで計数した今回演算周期の計数値、前記第３の計数率演算機能部で求めた今回演算周期の計数率及び標準偏差で定まる時定数を基に、今回演算周期の計数率を演算する第４の計数率演算機能部と、前記第３の計数率演算機能部で求めた今回演算周期の計数率を前記第４の計数率演算機能部で求めた今回演算周期の計数率により補正する補正演算機能部と、を含む演算部、
前記演算部からの出力を表示するとともに当該演算部の設定を行う表示・操作部、
を備えたことを特徴とする放射線モニタ。
【請求項５】
入射した放射線のエネルギーに応じた波高のアナログパルスを出力する放射線検出器、前記アナログパルスを入力し測定対象エネルギー範囲に対応した波高のパルスを弁別してデジタルパルスを出力する第１の波高弁別器、
該第１の波高弁別器の出力パルスを計数する第１のカウンタ、
前記アナログパルスを入力し測定対象エネルギー範囲の一部である所定のエネルギー範囲に対応した波高のパルスを弁別してデジタルパルスを出力する第２の波高弁別器、
該第２の波高弁別器の出力パルスを計数する第２のカウンタ、
前記第１の波高弁別器の出力パルスの計数値を時系列的に並べて所定の演算周期数保管し、演算周期毎に最新化するとともに、出力パルスの計数の標準偏差が一定になるように今回演算周期から過去に遡って計数値を積算し、その積算値に基づき今回演算周期の計数率を演算する第５の計数率演算機能部と、前記第２のカウンタの計数値を時系列的に並べて所定の演算周期数保管し、演算周期毎に最新化するとともに、今回演算周期から過去に遡って前記第５の計数率演算機能部と同じ演算周期数の計数値を積算し、その積算値に基づき今回演算周期の計数率を演算する第６の計数率演算機能部と、前記第５の計数率演算機能部で求めた今回演算周期の計数率を前記第６の計数率演算機能部で求めた今回演算周期の計数率により補正する補正演算機能部と、を含む演算部、
前記演算部からの出力を表示するとともに当該演算部の設定を行う表示・操作部、
を備えたことを特徴とする放射線モニタ。
【請求項６】
前記第１の波高弁別器に対応した計数率に対する前記第２の波高弁別器対応した計数率の比に基づき前記第１の波高弁別器対応した計数率のエネルギー特性を補正することを特徴とする請求項１〜請求項４のいずれか１項に記載の放射線モニタ。
【手続補正２】
【補正対象書類名】明細書
【補正対象項目名】０００９
【補正方法】変更
【補正の内容】
【０００９】
この発明に係わる放射線モニタは、
入射した放射線のエネルギーに応じた波高のアナログパルスを出力する放射線検出器、前記アナログパルスを入力し測定対象エネルギー範囲に対応した波高のパルスを弁別してデジタルパルスを出力する第１の波高弁別器、
該第１の波高弁別器の出力パルスを計数する第１のカウンタ、
前記アナログパルスを入力し測定対象エネルギー範囲の一部である所定のエネルギー範囲に対応した波高のパルスを弁別してデジタルパルスを出力する第２の波高弁別器、
該第２の波高弁別器の出力パルスを計数する第２のカウンタ、
前記第１のカウンタで計数した今回演算周期の計数値、前回演算周期の計数率及び標準偏差から定まる時定数を基に、今回演算周期の計数率を演算する第１の計数率演算機能部と、前記第２のカウンタで計数した今回演算周期の計数値、前記第１の計数率演算機能部と同じ時定数を基に、前記第２のカウンタで計数した計数値の今回演算周期の計数率を演算する第２の計数率演算機能部と、前記第１の計数率演算機能部で求めた今回演算周期の計数率を前記第２の計数率演算機能部で求めた今回演算周期の計数率により補正する補正演算機能部と、を含む演算部、
前記演算部からの出力を表示するとともに当該演算部の設定を行う表示・操作部、
を備えたものである。
【手続補正３】
【補正対象書類名】明細書
【補正対象項目名】００１０
【補正方法】変更
【補正の内容】
【００１０】
この発明に係わる放射線モニタは、
入射した放射線のエネルギーに応じた波高のアナログパルスを出力する放射線検出器、前記アナログパルスを入力し測定対象エネルギー範囲に対応した波高のパルスを弁別してデジタルパルスを出力する第１の波高弁別器、
該第１の波高弁別器の出力パルスを計数する第１のカウンタ、
前記アナログパルスを入力し測定対象エネルギー範囲の一部である所定のエネルギー範囲に対応した波高のパルスを弁別してデジタルパルスを出力する第２の波高弁別器、
該第２の波高弁別器の出力パルスを計数する第２のカウンタ、
前記第１のカウンタで計数した今回演算周期の計数値、前回演算周期の計数率及び標準偏差から定まる時定数を基に、今回演算周期の計数率を演算する第１の計数率演算機能部と、前記第２のカウンタで計数した今回演算周期の計数値、前記第１の計数率演算機能部と同じ時定数を基に、前記第２のカウンタで計数した計数値の今回演算周期の計数率を演算する第２の計数率演算機能部と、前記第１の計数率演算機能部で求めた今回演算周期の計数率を前記第２の計数率演算機能部で求めた今回演算周期の計数率により補正する補正演算機能部と、を含む演算部、
前記演算部からの出力を表示するとともに当該演算部の設定を行う表示・操作部、
を備え、測定エネルギー領域における部分的な歪について補償するようにしたので、良好なエネルギー特性の放射線モニタを得ることができる。